【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
重合可能なシリコンハイドロゲルレンズ形成組成物を眼科用レンズ鋳型アッセンブリーの中で重合させて重合化シリコンハイドロゲルレンズ製品を製造する工程；
重合化シリコンハイドロゲルレンズ製品を前記鋳型アッセンブリーの凹面レンズ定義表面及び凸面レンズ定義表面からはずして、脱成形及び脱レンズ化された眼科用レンズ製品を製造する工程；
前記脱成形及び脱レンズ化された眼科用レンズ製品を液体と接触させる前に、該レンズ製品が接触できる表面上で物理的特徴を有するレンズ担体内に、該脱成形及び脱レンズ化された眼科用レンズ製品を置く工程；
前記脱成形及び脱レンズ化されたレンズ製品を、アルコール、水及び界面活性剤を含む液体組成物と接触させることにより、該脱レンズ化されたレンズ製品から材料を抽出する工程；及び
その後、前記脱成形及び脱レンズ化された眼科用レンズ製品を水と接触させて、水和シリコンハイドロゲル眼科用レンズを製造する工程、
を有する、シリコンハイドロゲル眼科用レンズの製造方法であって、
前記物理的特徴はポケット又は陥凹部内に開口部又は穴を含み、
得られた眼科用レンズ製品は、前記液体組成物中に界面活性剤が存在しないことを除いて実質的に同一のプロセスにより実質的に同一の脱成形及び脱レンズ化された眼科用レンズ製品から製造された実質的に同一の眼科用レンズ製品と比べて、表面歪みを有さないか該表面歪みが小さいことを特徴とする、前記方法。
【請求項２】
水和シリコンハイドロゲル眼科用レンズが、前記脱成形及び脱レンズ化された眼科用レンズ製品を、界面活性剤を含む水と接触させることにより製造される、請求項１記載の方法。
【請求項３】
水和シリコンハイドロゲル眼科用レンズが、前記脱成形及び脱レンズ化された眼科用レンズ製品を界面活性剤を含む第１の水と接触させ、続いて該脱レンズ化された眼科用レンズ製品を第２の水と接触させることにより製造される、請求項１記載の方法。
【請求項４】
第２の水が界面活性剤を含む、請求項３記載の方法。
【請求項５】
液体組成物が１００ppmのポリオキシエチレンソルビタンモノオレートを含む請求項１記載の方法。
【請求項６】
水に含まれる界面活性剤が液体組成物中の界面活性剤と同一である、請求項２に記載の方法。
【請求項７】
前記第２の水に含まれる界面活性剤が、液体組成物中の界面活性剤と同一である、請求項４に記載の方法。
【請求項８】
脱成形及び脱レンズ化された重合化シリコンハイドロゲル眼科用レンズ製品を液体と接触させる前に、該レンズ製品が接触する表面上で物理的特徴を有するレンズ担体内に、該脱成形及び脱レンズ化された重合化シリコンハイドロゲル眼科用レンズ製品を置く工程；及び
前記脱成形及び脱レンズ化された重合化シリコンハイドロゲル眼科用製品をアルコール、水及び表面の歪みを防ぐ量の界面活性剤を含む液体組成物と接触させることにより、該脱成形及び脱レンズ化された重合化シリコンハイドロゲル眼科用製品から材料を抽出する工程、
を有する、シリコンハイドロゲル眼科用レンズの製造における抽出及び水和工程の結果として起こる、シリコンハイドロゲル眼科用レンズの表面の歪みを防ぐ方法であって、
前記物理的特徴が陥凹部又はポケット内に配置された開口部又は穴を含み、
得られた重合化シリコンハイドロゲル眼科用レンズ製品が、前記液体組成物中に界面活性剤が存在しないことを除いて実質的に同一のプロセスにより実質的に同一の脱成形及び脱レンズ化された重合化シリコンハイドロゲル眼科用レンズ製品から製造された実質的に同一の重合化シリコンハイドロゲル眼科用レンズ製品と比べて、歪みを有さないか歪みが小さいことを特徴とする、前記方法。
【請求項９】
前記脱成形及び脱レンズ化された眼科用レンズ製品をさらに別の、水を含む液体組成物と接触させることを含む請求項８記載の方法。
【請求項１０】
さらに別の、液体組成物が界面活性剤を含む請求項８記載の方法。
【請求項１１】
液体組成物が約１００ppmのポリオキシエチレンソルビタンモノオレートを含む請求項８記載の方法。
【請求項１２】
さらに別の液体組成物中の界面活性剤が、液体組成物中の界面活性剤と同一である、請求項１０に記載の方法。
【請求項１３】
処理単位の脱成形及び脱レンズ化された重合化シリコンハイドロゲル眼科用レンズ製品を液体と接触させる前に、該レンズ製品が接触できる表面上で物理的特徴を有するレンズ担体内に、前記処理単位の脱成形及び脱レンズ化された重合化シリコンハイドロゲル眼科用レンズ製品を置く工程；及び
前記処理単位の脱成形及び脱レンズ化された重合化シリコンハイドロゲル眼科用レンズ製品を、アルコール、水及び表面の歪みを低減する量の界面活性剤を含む液体組成物と接触させることにより、該処理単位の脱成形及び脱レンズ化された重合化シリコンハイドロゲル眼科用レンズ製品から材料を抽出する工程、
を有する、処理単位のシリコンハイドロゲル眼科用レンズの製造における抽出及び水和工程の結果として起こる、処理単位のシリコンハイドロゲル眼科用レンズの表面の歪みを低減する方法であって、
前記物理的特徴が、ポケット又は陥凹部内に配置された開口部又は穴を含み、
得られた処理単位のレンズ製品に存在する表面の歪みの量が、アルコール、水を含み且つ界面活性剤を含まない液体組成物と接触させることを除いて実質的に同一のプロセスを用いて実質的に同一の脱成形及び脱レンズ化された重合化シリコンハイドロゲル眼科用レンズ製品から製造された、実質的に同一の重合化シリコンハイドロゲル眼科用レンズ製品に存在する表面の歪みの量よりも小さいことを特徴とする、前記方法。
【請求項１４】
脱成形及び脱レンズ化されたシリコンハイドロゲルレンズ製品を液体と接触させる前に、該レンズ製品が接触できる表面上で物理的特徴を有するレンズ担体内に、該脱成形及び脱レンズ化されたシリコンハイドロゲルレンズ製品を置く工程；
前記脱成形及び脱レンズ化されたシリコンハイドロゲルレンズ製品を、アルコール、水及び界面活性剤を含む少なくとも第１の液体組成物と接触させる工程；及び
前記脱成形及び脱レンズ化されたシリコンハイドロゲルレンズ製品を、水を含む少なくとも第２の液体組成物と接触させる工程、
を有する、シリコンハイドロゲルレンズ製品の抽出及び水和方法であって、
前記物理的特徴が、ポケット又は陥凹部内に配置された開口部又は穴を含み、
得られたシリコンハイドロゲルレンズ製品に存在する表面の歪みの量が、アルコール、水を含み且つ界面活性剤を含まない液体組成物と接触させることを除いて実質的に同一のプロセスを用いて製造された実質的に同一のシリコンハイドロゲル眼科用レンズ製品に存在する表面の歪みの量よりも小さいことを特徴とする、前記方法。
【請求項１５】
第２の液体組成物がさらに界面活性剤を含む、請求項１４記載の方法。
【請求項１６】
第２の液体組成物中の界面活性剤が、第１の液体組成物中の界面活性剤と同一である、請求項１５に記載の方法。
【請求項１７】
脱成形及び脱レンズ化されたシリコンハイドロゲルレンズ製品を、水を含む少なくとも第３の液体組成物と接触させる工程を更に有する、請求項１４記載の方法。
【請求項１８】
第３の液体組成物がさらに界面活性剤を含む、請求項１４記載の方法。
【請求項１９】
第３の液体組成物中の界面活性剤が、第１の液体組成物中の界面活性剤と同一である、請求項１８に記載の方法。
【請求項２０】
第１の液体組成物が約１００ppmのポリオキシエチレンソルビタンモノオレートを含む、請求項１４記載の方法。
【請求項２１】
脱成形及び脱レンズ化されたシリコンハイドロゲルレンズ製品を液体と接触させる前に、該レンズ製品が接触できる表面上で物理的特徴を有するレンズ担体内に、該脱成形及び脱レンズ化されたシリコンハイドロゲル製品を置く工程；
前記脱成形及び脱レンズ化されたシリコンハイドロゲルレンズ製品を、有機溶媒を含む第１の液体組成物と接触させる工程；
脱成形及び脱レンズ化されたシリコンハイドロゲルレンズ製品を、有機溶媒、水及び界面活性剤を含む第２の液体組成物と接触させる工程；及び
脱成形及び脱レンズ化されたシリコンハイドロゲルレンズ製品を、水を含む第３の液体組成物と接触させる工程、
を有する、シリコンハイドロゲルレンズ製品の抽出及び水和方法であって、
前記物理的特徴が、ポケット又は陥凹部内に配置された穴又は開口部を含み、
得られたシリコンハイドロゲルレンズ製品が、液体組成物中に界面活性剤が存在しないことを除いて実質的に同一のプロセスにより、実質的に同一の脱成形及び脱レンズ化されたシリコンハイドロゲルレンズ製品から製造された実質的に同一のシリコンハイドロゲルレンズ製品と比較して、表面歪みがないか又は該表面歪みが小さいことを特徴とする、前記方法。
【請求項２２】
第３の液体組成物がさらに界面活性剤を含む、請求項２１記載の方法。
【請求項２３】
第３の液体組成物中の界面活性剤が、第２の液体組成物中の界面活性剤と同一である、請求項２２に記載の方法。
【請求項２４】
第２の液体組成物が約１００ppmのポリオキシエチレンソルビタンモノオレートを含む請求項２１記載の方法。
【請求項２５】
有機溶媒がエタノールを含む請求項２１記載の方法。